(57)【要約】【課題】十分な除菌力を有しつつ、使用者がべたつきを感じにくいウェットシートを提供する。【解決手段】シート体に薬液を含浸させたウェットシートであって、前記薬液は、グレープフルーツ種子エキスを含有し、大腸菌及び黄色ブドウ球菌に対する除菌活性値が２．０以上であり、接触角が４３°以下である。【選択図】なし【特許請求の範囲】
【請求項１】
シート体に薬液を含浸させたウェットシートであって、
前記薬液は、
グレープフルーツ種子エキスを含有し、大腸菌及び黄色ブドウ球菌に対する除菌活性値が２．０以上であり、
接触角が４３°以下であることを特徴とするウェットシート。
【請求項２】
前記薬液は、
99.0質量％以上の水と、
1.0×10-2質量％以上、5.0×10-2質量％以下のグレープフルーツ種子エキスと、
1.0×10-3質量％以上、5.0×10-3質量％以下のクエン酸と、
1.0×10-3質量％以上、5.0×10-3質量％以下のクエン酸ナトリウムと、
1.0×10-2質量％以上、5.0×10-1質量％以下の塩化ベンザルコニウムと、
1.0×10-2質量％以上、5.0×10-2質量％以下の塩化セチルピリジニウムと、
1.0×10-3質量％以上、5.0×10-2質量％以下のポリアミノプロピルビグアニドと、
を含有することを特徴とする請求項１に記載のウェットシート。
【請求項３】
前記薬液は、1.0×10-3質量％以上、5.0×10-2質量％以下のオレンジエキスを含有することを特徴とする請求項２に記載のウェットシート。
【請求項４】
前記シート体は、引張強度が、ＭＤ方向に４５Ｎ以上、ＣＤ方向に１０Ｎ以上であることを特徴とする請求項１から３のいずれか一項に記載のウェットシート。
【発明の詳細な説明】
【技術分野】
【０００１】
本発明は、ウェットシートに関する。
【背景技術】
【０００２】
手の汚れの除去や清掃等に用いられる除菌効果を有するウェットシートとしては、大別して、含浸させる薬液にアルコールが含まれるものと、含まれないものとがあるが、従来、アルコールが含まれないものにおいては、除菌活性値を向上するために、プロピレングリコール及びパラベンを使用していた。しかし、プロピレングリコール及びパラベンを使用すると、薬液が使用者の肌に付着した際にべたつきを感じることがあった。
そこで、薬液にアルコールが含まれず、かつプロピレングリコール及びパラベンを使用しない、除菌効果を有するウェットシートが知られている（例えば、特許文献１参照）。
【先行技術文献】
【特許文献】
【０００３】
【特許文献１】特開２０１７−１２４０６０号公報
【発明の概要】
【発明が解決しようとする課題】
【０００４】
しかしながら、特許文献１に記載の発明においては、プロピレングリコール及びパラベンを含有しないものの、いまだ使用者が感じるべたつきの低減は十分ではなかった。
【０００５】
本発明は、上記課題に鑑みてなされたものであって、十分な除菌力を有しつつ、使用者がべたつきを感じにくいウェットシートを提供することを目的とする。
【課題を解決するための手段】
【０００６】
上記課題を解決するため、請求項１に記載の発明は、
シート体に薬液を含浸させたウェットシートであって、
前記薬液は、
グレープフルーツ種子エキスを含有し、大腸菌及び黄色ブドウ球菌に対する除菌活性値が２．０以上であり、
接触角が４３°以下であることを特徴とする。
本発明によれば、十分な除菌力を有しつつ、使用者がべたつきを感じにくいウェットシートを提供することができる。
【０００７】
請求項２に記載の発明は、請求項１に記載のウェットシートであって、
前記薬液は、
99.0質量％以上の水と、
1.0×10-2質量％以上、5.0×10-2質量％以下のグレープフルーツ種子エキスと、
1.0×10-3質量％以上、5.0×10-3質量％以下のクエン酸と、
1.0×10-3質量％以上、5.0×10-3質量％以下のクエン酸ナトリウムと、
1.0×10-2質量％以上、5.0×10-1質量％以下の塩化ベンザルコニウムと、
1.0×10-2質量％以上、5.0×10-2質量％以下の塩化セチルピリジニウムと、
1.0×10-3質量％以上、5.0×10-2質量％以下のポリアミノプロピルビグアニドと、
を含有することを特徴とする。
本発明によれば、十分な除菌力を有しつつ、使用者がべたつきを感じにくいウェットシートを提供することができる。
【０００８】
請求項３に記載の発明は、請求項２に記載のウェットシートであって、
前記薬液は、1.0×10-3質量％以上、5.0×10-2質量％以下のオレンジエキスを含有することを特徴とする。
本発明によれば、さらにべたつき難さを改善できる。
【０００９】
請求項４に記載の発明は、請求項１から３のいずれか一項に記載のウェットシートであって、
前記シート体は、引張強度が、ＭＤ方向に４５Ｎ以上、ＣＤ方向に１０Ｎ以上であることを特徴とする。
本発明によれば、ウェットシートを十分な強度とすることができる。
【発明の効果】
【００１０】
本発明によれば、十分な除菌力を有しつつ、使用者がべたつきを感じにくいウェットシートを提供することができる。
【発明を実施するための形態】
【００１１】
以下、本発明の実施形態であるウェットシートについて詳細に説明する。ただし、本発明の技術的範囲は、これに限定されるものではない。
【００１２】
［実施形態の構成］
｛全体構成｝
本実施形態のウェットシートは、シート体に薬液が含浸されたものである。
【００１３】
｛シート体｝
本発明において用いるシート体としては、後述の薬液を含浸させることができるものであれば、特に限定はないが、柄のない不織布であり、かつ引張強度（長辺１００ｍｍ、短辺５０ｍｍの試験片を長辺方向に引っ張り、これが破断したときの最大点荷重によって測定した値（株式会社エー・アンド・ディー製のTENSILON  RTG−1210を用いた。））が、抄紙機上の紙の進行方向（ＭＤ方向）に４５Ｎ以上であり、抄紙機上の紙の進行方向と直角な方向（ＣＤ方向）に１０Ｎ以上であることが望ましい。
【００１４】
また、シート体を構成する原料繊維としては、レーヨン、ＰＥＴ（ポリエチレンテレフタレート）等を用いたものであることが望ましい。
【００１５】
また、シート体の目付は、２０〜８０ｇｓｍであることが好ましい。なお、目付は、ＪＩＳ  Ｐ  ８１２４：２０１１に従って測定した坪量をいう。
【００１６】
｛薬液｝
薬液としては、以下のものを用いる。
なお、薬液含浸率は５０質量％以上、４００質量％以下であることが好ましい。なお薬液含浸率とは、薬液含浸前のシート体の質量と、含浸させる薬液の質量とを測定し、薬液含浸前のシート体の質量に対する含浸させる薬液の質量の割合を算出したものをいう。
【００１７】
薬液としては接触角が４３°以下のものを用いる。接触角が３６°以下のものを用いることがさらに好ましい。
なお、接触角は、固液界面解析システム（協和界面科学株式会社のDrop Master 300）を用いて液滴法にて測定を行った。具体的には、上記システムに付属のシリンジを用いて、液滴をアルミ製の台の表面に接触させて着滴させた後、自動的にパソコンに取得した画像の解析を行い、接触角を算出した。
【００１８】
また、清掃時の除菌効果を十分なものとするため、除菌力が９９％以上である必要がある。
なお、ここで除菌力が９９％以上とは、大腸菌及び黄色ブドウ球菌の両者に対して、除菌活性値が２．０以上であることをいう。なお、除菌活性値の測定は、一財社団法人  日本衛生材料工業連合会編、「ウエットワイパー類の除菌性能試験方法」（平成27年11月16日改定）に準じて行った。
具体的には、適当な汚れと共に細菌を試験担体（ステンレス板）に接種し、乾燥後拭取り装置に設置する。試験試料（ウエットワイプまたは対照液を塗布した綿布）を巻きつけたおもりで試験担体上を所定回数拭取り、5分間静置する。5分後、試験担体を不活性化剤に移し、試験試料の細菌の増殖を抑制したり死滅させる性質を不活性化させた後、試験担体上の生菌数を測定する。
試験試料の除菌活性値は、対照試料及び試験試料で拭取り後、それぞれの試験担体上に残存する生菌数の常用対数値の差で示す。
【００１９】
このような薬液としては、具体的には、例えば以下の６成分を含有し、これら６成分の含有量の合計が1.0質量％以下であり、水の含有量が99.0質量％以上であるものを用いることができる。
1.0×10-2質量％以上、5.0×10-2質量％以下のグレープフルーツ種子エキス
1.0×10-3質量％以上、5.0×10-3質量％以下のクエン酸
1.0×10-3質量％以上、5.0×10-3質量％以下のクエン酸ナトリウム
1.0×10-2質量％以上、5.0×10-1質量％以下の塩化ベンザルコニウム
1.0×10-2質量％以上、5.0×10-2質量％以下の塩化セチルピリジニウム
1.0×10-3質量％以上、5.0×10-2質量％以下のポリアミノプロピルビグアニド
【００２０】
グレープフルーツ種子エキスは、抗菌作用を有することから含有されているものである。
クエン酸は、pH調整及び緩衝作用を有することから含有されているものである。
クエン酸ナトリウムは、pH調整及び緩衝作用を有することから含有されているものである。
塩化ベンザルコニウムは、抗菌作用を有することから含有されているものである。
塩化セチルピリジニウムは、抗菌作用を有することから含有されているものである。
ポリアミノプロピルビグアニドは、抗菌作用を有することから含有されているものである。
【００２１】
また、薬液はさらに、1.0×10-3質量％以上、5.0×10-2質量％以下のオレンジエキスを含有していてもよい。
【００２２】
｛実施形態の効果｝
十分な除菌効果を有するウェットシートを、アルコールを含有しない薬液を用いて製作した場合、従来のものにおいては、使用者が感じるべたつきを十分に低減できなかった。
これに対して、本実施形態によれば、薬液の接触角が上記の範囲であることによって、使用者の手肌等に付着した薬液が広がり易くなり、アルコールを含有せずとも、これが蒸発し易くなる。
したがって、アルコールを含有しない薬液を用いた場合においても、十分な除菌効果を有しつつ、使用者が感じるべたつきを低減することが可能となる。
【実施例】
【００２３】
次に、本発明の実施例及び比較例に係るウェットシートにつき、除菌力の評価、接触角測定及びべたつき等に関する評価を行った結果について説明する。
【００２４】
［実施例及び比較例の構成］
以下の実施例及び比較例に係るウェットシートを用意した。
【００２５】
｛実施例１｝
（シート体）
大きさ：ＭＤ方向200ｍｍ、ＣＤ方向150ｍｍ
成分：レーヨン：40質量％、ＰＥＴ（ポリエチレンテレフタレート）：40質量％、ＰＥ（ポリエチレン）及びＰＰ（ポリプロピレン）の混合物：20質量％
構成：スパンレース不織布
目付：３４ｇ／ｍ２
（薬液）
精製水：99.434％
塩化ベンザルコニウム50％水溶液：1.0×10-1％
（塩化ベンザルコニウム: 5.0×10-2％）
塩化セチルピリジニウム：3.0×10-2％
ポリアミノプロピルビグアニド20％水溶液：1.0×10-1％
（ポリアミノプロピルビグアニド: 2.0×10-2％）
グレープフルーツ種子エキス：1.0×10-2％
フェノキシエタノール：3.0×10-1％
クエン酸：5.0×10-3％
クエン酸ナトリウム：1.0×10-3％
アロエエキス：1.0×10-2％
グリセリン：1.0×10-2％
（薬液含浸率）
２５０％
【００２６】
｛実施例２｝
（シート体）
実施例１と同様。
（薬液）
精製水：99.424％
塩化ベンザルコニウム50％水溶液：1.0×10-1％
（塩化ベンザルコニウム: 5.0×10-2％）
塩化セチルピリジニウム：3.0×10-2％
ポリアミノプロピルビグアニド20％水溶液：1.0×10-1％
（ポリアミノプロピルビグアニド: 2.0×10-2％）
グレープフルーツ種子エキス：1.0×10-2％
フェノキシエタノール：3.0×10-1％
クエン酸：5.0×10-3％
クエン酸ナトリウム：1.0×10-3％
アロエエキス：1.0×10-2％
グリセリン：1.0×10-2％
オレンジエキス：1.0×10-2％
（薬液含浸率）
実施例１と同様。
【００２７】
｛実施例３｝
（シート体）
実施例１と同様。
（薬液）
精製水：99.404％
塩化ベンザルコニウム50％水溶液：1.0×10-1％
（塩化ベンザルコニウム: 5.0×10-2％）
塩化セチルピリジニウム：3.0×10-2％
ポリアミノプロピルビグアニド20％水溶液：1.0×10-1％
（ポリアミノプロピルビグアニド: 2.0×10-2％）
グレープフルーツ種子エキス：3.0×10-2％
フェノキシエタノール：3.0×10-1％
クエン酸：5.0×10-3％
クエン酸ナトリウム：1.0×10-3％
アロエエキス：1.0×10-2％
グリセリン：1.0×10-2％
オレンジエキス：1.0×10-2％
（薬液含浸率）
実施例１と同様。
【００２８】
｛比較例１｝
（シート体）
実施例１と同様。
（薬液）
精製水：96.184％
プロピレングリコール：3.0％
塩化ベンザルコニウム50％水溶液：1.0×10-1％
（塩化ベンザルコニウム: 5.0×10-2％）
塩化セチルピリジニウム：3.0×10-2％
ポリアミノプロピルビグアニド20％水溶液：1.0×10-1％
（ポリアミノプロピルビグアニド: 2.0×10-2％）
グレープフルーツ種子エキス：1.0×10-2％
パラオキシ安息香酸メチル：2.0×10-1％
パラオキシ安息香酸エチル：5.0×10-2％
パラオキシ安息香酸プロピル：2.0×10-2％
フェノキシエタノール：3.0×10-1％
クエン酸：5.0×10-3％
クエン酸ナトリウム：1.0×10-3％
（薬液含浸率）
実施例１と同様。
【００２９】
［試験方法］
上記実施例及び比較例に係るウェットシートを用いて、以下の試験を行った。
【００３０】
｛除菌力試験｝
上記実施例及び比較例に用いられた薬液について、大腸菌及び黄色ブドウ球菌の２菌種に関する除菌活性値の測定を行った。
具体的には、段落００１８に示した方法を用いた。
【００３１】
｛接触角測定｝
上記実施例及び比較例に用いられた薬液について、接触角の測定を行った。
具体的には、段落００１７に示した方法を用いた。
【００３２】
｛べたつき等の評価｝
上記実施例及び比較例に係るウェットシートについて、被験者８人に実際に手肌を拭かせ、べたつき難さ、乾き易さ、耐久性、拭き易さ、汚れ落ちにつき、１から７の７段階で評価させ、その平均値を算出した。なお、４を平均（一般的なウェットシート程度）として、極めて良好な場合に７、極めて不良な場合を１とし、平均よりやや良好な場合を５、平均よりやや不良な場合を３とし、平均より良好な場合を６、平均より不良な場合を２とした。
【００３３】
［試験結果］
試験の結果を表Ｉに示す。
【００３４】
【表１】
2019216843.tif 000002
【００３５】
［評価］
実施例と比較例との比較から、ウェットシートに含浸させる薬液の接触角を小さくすることによって、べたつき難さ、乾き易さ、拭き易さ、汚れ落ちを改善できることが分かる。